(57)【要約】【課題】異なる２つの構造体が組み付けられることによって製造できる、磁気ディスクとヘッドスタックアセンブリとを有するディスクドライブを提供することをその目的とし、また、上記のようなディスクドライブを容易に組み立てるためのツールを提供することもその目的とする。【解決手段】２つの構造体にて構成され磁気ディスクとヘッドスタックアセンブリとを有するディスクドライブを組み立てる際に用いる傾斜部用ツールであって、ツール本体部と、このツール本体部からヘッドスタックアセンブリのリフトタブに負荷を加えた状態で保持するよう延びる保持手段と、を備えた。【選択図】図７
2006155874.tif 000002
【特許請求の範囲】
【請求項１】
磁気構成部品の第１部品を有すると共に、ヘッドスタックアセンブリが搭載された第１のカバーと、
磁気構成部品の第２部品とスピンドルモーターと少なくとも１つの磁気ディスクとを有する前記第１のカバーに組み付けられる第２のカバーと、
を備えたことを特徴とするディスクドライブ。
【請求項２】
前記第２のカバーに形成された傾斜部と、傾斜部用ツールが前記傾斜部に到達するよう挿通される前記第１のカバーに形成されたツール用開口部と、
を備えたことを特徴とする請求項１記載のディスクドライブ。
【請求項３】
前記ヘッドスタックアセンブリは、一端部にリフトタブが形成されたサスペンションを備えると共に、
前記リフトタブは、傾斜部用ツールから前記傾斜部に移動されることによって当該傾斜部に移載される、ことを特徴とする請求項２記載のディスクドライブ。
【請求項４】
ディスクドライブの第１の構造体に、磁気ディスクと傾斜部とを装備すると共に、ディスクドライブの第２の構造体に、前記傾斜部に対応して傾斜部用ツールが挿通されるツール用開口部を形成し、ヘッドスタックアセンブリを搭載する工程と、
前記傾斜部用ツールを形成し、当該傾斜部用ツールを前記ツール用開口部に挿通して、当該傾斜部用ツールにてヘッドスタックアセンブリのリフトタブに負荷を与えた状態で保持する工程と、
前記リフトタブ、前記傾斜部用ツール、及び、前記傾斜部が重なるよう前記第１の構造体と第２の構造体とを一体的に組み付ける工程と、
ヘッドスタックアセンブリの前記リフトタブを、前記傾斜部用ツールからディスクドライブの第１の構造体に装備された前記傾斜部に移載するよう前記傾斜部用ツールを移動する工程と、
を有することを特徴とするディスクドライブ組立方法。
【請求項５】
前記傾斜部用ツールを形成する工程は、前記リフトタブを保持する保持手段を形成する工程を有する、
ことを特徴とする請求項４記載のディスクドライブ組立方法。
【請求項６】
前記傾斜部用ツールを形成する工程は、前記ツール用開口部の中で回転可能なツール本体部を形成する工程をさらに有する、
ことを特徴とする請求項５記載のディスクドライブ組立方法。
【請求項７】
前記傾斜部用ツールを形成する工程は、当該傾斜部用ツールを操作するハンドル部を形成する工程をさらに有する、
ことを特徴とする請求項６記載のディスクドライブ組立方法。
【請求項８】
前記傾斜部用ツールを、前記ディスクドライブの第２の構造体から取り外す工程をさらに有する、
ことを特徴とする請求項４，５，６又は７記載のディスクドライブ組立方法。
【請求項９】
前記ツール用開口部を密封する工程をさらに有する、
ことを特徴とする請求項８記載のディスクドライブ組立方法。
【請求項１０】
前記ツール開口部を粘着テープ又は栓で密封する、
ことを特徴とする請求項９記載のディスクドライブ組立方法。
【請求項１１】
２つの構造体にて構成され磁気ディスクとヘッドスタックアセンブリとを有するディスクドライブを組み立てる際に用いる傾斜部用ツールであって、
ツール本体部と、
このツール本体部からヘッドスタックアセンブリのリフトタブに負荷を加えた状態で保持するよう延びる保持手段と、
を備えたことを特徴とする傾斜部用ツール。
【請求項１２】
前記ツール本体部に連結され、前記傾斜部用ツールを操作するためのハンドル部を備えた、
ことを特徴とする請求項１１記載の傾斜部用ツール。
【請求項１３】
前記ハンドル部の外形は、前記ツール本体部よりも大きい、
ことを特徴とする請求項１２記載の傾斜部用ツール。
【請求項１４】
前記保持手段は、前記ツール本体部の側部から当該ツール本体部に対して垂直方向に延びて形成されている、
ことを特徴とする請求項１１，１２又は１３記載の傾斜部用ツール。
【発明の詳細な説明】
【技術分野】
【０００１】
本発明は、ディスクドライブにかかり、特に、ディスクドライブを組み立てる際に用いられるツール、及び、当該ツールを用いてディスクドライブを組み立てる方法に関する。
【背景技術】
【０００２】
図１に示すように（特許文献１も参照）、従来のディスクドライブ２０は、相互に結合されるボトム部（下側に位置する部材）と上カバー２９（上側に位置する部材）とを備えている。そして、ボトム部は、下カバー１９と、この上に設置された磁気ヘッド（図示せず）が装備されているヘッドスタックアセンブリ１７と、磁気ディスク１１と、下カバー１９の上に配置されている傾斜部１５（ランプ）と、を備えている。また、上記磁気ディスク１１はスピンドルモーター３１に装着されており、当該スピンドルモーター３１の駆動により回転される。また、ボイスコイルモーター１３（VCM）が、ヘッドスタックアセンブリ１７（ＨＳＡ）の動作を制御するために配置されている。これにより、磁気ヘッドスライダは、磁気ディスクに対してデータの記録再生を行うために、当該磁気ディスク１１の表面のトラック間上を移動するよう制御される。
【０００３】
また、傾斜部１５は、磁気ヘッドスライダを、回転している磁気ディスク１１の表面上空の浮上領域に送出したり、戻ってきた磁気ヘッドを受け入れて退避させるものであり、当該傾斜部１５には、通常、ヘッドスタックアセンブリ１７の一端に形成されたリフトタブが載置される。
【０００４】
ところが、従来のディスクドライブ２０におけるヘッドスタックアッセンブリ１７（特に、磁気ヘッドスライダ）の再組み立て（組み立て）の際には、下カバー１９からヘッドスタックアッセンブリ１７を取り外さなければならず、非常に手間がかかる。このため、ヘッドスタックアセンブリ１７の再組み立てを簡単にするため、ヘッドスタックアセンブリ１７を上カバー２９に装着することが行われている。これにより、ヘッドスタックアセンブリ１７、特に、磁気ヘッドの再組み立てする際に、ヘッドスタックアセンブリ１７を上カバー２９から分離する必要はなく、上カバー２９をボトム部から分離するだけで済む。
【０００５】
【特許文献１】特開２００２−７４８７０号公報
【発明の開示】
【発明が解決しようとする課題】
【０００６】
しかしながら、ヘッドスタックアセンブリ１７が上カバー２９に配置されていると、上カバー２９とボトム部とを組み付けるとき、ヘッドスタックアセンブリ１７のリフトタブを傾斜部１５上に配置する際における初期位置に設定することが極めて困難である。これは、サスペンションの端部が自由状態である場合と負荷状態である場合との間で、当該サスペンションに自由角度が存在し、その結果、水平方向において、上記２つの状態の間で差異が生じるためである。
【０００７】
このため、本発明では、上記従来例の有する不都合を改善可能であり、特に、異なる２つの構造体が組み付けられることによって製造できる、磁気ディスクとヘッドスタックアセンブリとを有するディスクドライブを提供することをその目的とする。また、上記のようなディスクドライブを容易に組み立てるためのツールを提供することもその目的とする。さらに、上記ツールを用いてディスクドライブを組み立てる方法も提供することをその目的とする。
【課題を解決するための手段】
【０００８】
そこで、本発明の一形態であるディスクドライブは、
磁気構成部品の第１部品を有すると共に、ヘッドスタックアセンブリが搭載された第１のカバーと、
磁気構成部品の第２部品とスピンドルモーターと少なくとも１つの磁気ディスクとを有する第１のカバーに組み付けられる第２のカバーと、
を備えたことを特徴としている。
【０００９】
そして、上記第２のカバーに形成された傾斜部と、傾斜部用ツールが傾斜部に到達するよう挿通される第１のカバーに形成されたツール用開口部と、を備えたことを特徴としている。
【００１０】
また、ヘッドスタックアセンブリは、一端部にリフトタブが形成されたサスペンションを備えると共に、
リフトタブは、傾斜部用ツールから傾斜部に移動されることによって当該傾斜部に移載される、ことを特徴としている。
【００１１】
また、本発明の他の形態であるディスクドライブの組立方法は、
ディスクドライブの第１の構造体に、磁気ディスクと傾斜部とを装備すると共に、ディスクドライブの第２の構造体に、傾斜部に対応して傾斜部用ツールが挿通されるツール用開口部を形成し、ヘッドスタックアセンブリを搭載する工程と、
傾斜部用ツールを形成し、当該傾斜部用ツールをツール用開口部に挿通して、当該傾斜部用ツールにてヘッドスタックアセンブリのリフトタブに負荷を与えた状態で保持する工程と、
リフトタブ、傾斜部用ツール、及び、傾斜部が重なるよう第１の構造体と第２の構造体とを一体的に組み付ける工程と、
ヘッドスタックアセンブリのリフトタブを、傾斜部用ツールからディスクドライブの第１の構造体に装備された傾斜部に移載するよう傾斜部用ツールを移動する工程と、
を有することを特徴としている。
【００１２】
そして、傾斜部用ツールを形成する工程は、リフトタブを保持する保持手段を形成する工程を有する、ことを特徴としている。また、傾斜部用ツールを形成する工程は、ツール用開口部の中で回転可能なツール本体部を形成する工程をさらに有する、ことを特徴としている。また、傾斜部用ツールを形成する工程は、当該傾斜部用ツールを操作するハンドル部を形成する工程をさらに有する、ことを特徴としている。
【００１３】
また、上記方法は、傾斜部用ツールを、ディスクドライブの第２の構造体から取り外す工程をさらに有する、ことを特徴としている。また、ツール用開口部を密封する工程をさらに有する、ことを特徴としている。さらに、ツール開口部を粘着テープ又は栓で密封する、ことを特徴としている。
【００１４】
また、本発明の他の形態である傾斜部用ツールは、
２つの構造体にて構成され磁気ディスクとヘッドスタックアセンブリとを有するディスクドライブを組み立てる際に用いる傾斜部用ツールであって、
ツール本体部と、
このツール本体部からヘッドスタックアセンブリのリフトタブに負荷を加えた状態で保持するよう延びる保持手段と、
を備えたことを特徴としている。
【００１５】
そして、ツール本体部に連結され、傾斜部用ツールを操作するためのハンドル部を備えた、ことを特徴としている。このとき、ハンドル部の外形は、ツール本体部よりも大きいとよい。さらに、保持手段は、ツール本体部の側部から当該ツール本体部に対して垂直方向に延びて形成されている、ことを特徴としている。
【発明の効果】
【００１６】
本発明における傾斜部用ツールは、ディスクドライブの２つの構造体が組み付けられる前に、ヘッドスタックアセンブリのリフトタブが負荷状態となるよう保持するため、サスペンションの自由状態と負荷状態との間で存在する自由角度の影響を除去することができる。
【００１７】
また、傾斜部用ツールは、ツール用開口部の中で回転可能であるため、傾斜部に対応してその上に搭載されるリフトタブの位置を調整することができる。また、回転可能であることにより、リフトタブと傾斜部用ツールと傾斜部とが重ね合っているときに、傾斜部用ツールを容易に傾斜部とリフトタブとの間から抜き取るよう移動させることができ、これによって、リフトタブを傾斜部に移載させることができる。
【００１８】
さらに、ディスクドライブを構成する２つの構造体において、ヘッドスタックアセンブリと磁気ディスクとは異なる構造体にそれぞれ装備されているため、ディスクドライブの状態でヘッドスタックアセンブリ（特に、磁気ヘッド）の再組立（リワーク）を行うことができる。つまり、ディスクドライブの第２の構造体からヘッドスタックアセンブリを取り外す必要はく、単に、ディスクドライブの２つの構造体を相互に分離することで、リワークを行うことができる。
【００１９】
また、本発明における傾斜部用ツールは、サスペンションのリフトタブを傾斜部へ移動した後に、ディスクドライブから容易に取り外すことができるため、組み立て後のディスクドライブの通常の作動に影響を与えることがない。
【発明を実施するための最良の形態】
【００２０】
以下、本発明の利点、及び、特徴を、添付した図面を参照した実施例を通じてより詳細に説明する。
【実施例１】
【００２１】
まず、図２を参照して、本発明の第１の実施例におけるディスクドライブの構成について説明する。図２は、本実施例におけるディスクドライブの斜視図である。
【００２２】
図２に示したように、ディスクドライブ３５は、上部構造体３と下部構造体５とを備えている。上部構造体３は、上部カバー１２９、上部磁気構成部品５２、及び、上部カバー１２９に装着されたヘッドスタックアセンブリ１１７（ＨＳＡ）を備えている。そして、ヘッドスタックアセンブリ１１７は、ベアリング３８を介して上部カバー１２９に装着されており、当該ヘッドスタックアセンブリ１１７は、ベアリング３８にて回転される。
【００２３】
また、下部構造体５は、下カバー１１９、下部磁気構成部品５１、及び、下カバー１１９の上に搭載されるスピンドルモーター１３１を備えている。そして、このスピンドルモーター１３１に磁気ディスク１１１が装着されており、当該磁気ディスク１１１はスピンドルモーター１３１の駆動によって回転される。また、上記上カバー１２９と下カバー１１９とは、図示しない固定手段にて相互に接合される。さらに、本実施例では、下カバー１１９の磁気ディスク１１１に隣接する位置に、傾斜部（ランプ）１１５が形成されている。
【００２４】
また、図３に示したように、ヘッドスタックアセンブリ１１７は、駆動アーム１７１、この駆動アーム１７１と連結されるサスペンション１７２、及び、サスペンション１７２に装着される磁気ヘッド１７４（磁気ヘッドスライダ）、を備えている。なお、磁気ヘッド１７４を備えているサスペンション１７２を、「ヘッドジンバルアセンブリ（head gimbal assembly : HGA）」と言う。また、サスペンションの最先端部には、傾斜部１１５上に移載されるリフトタブ１７５が形成されている。
【００２５】
ここで、図２と図６に示すように、サスペンション１７２が自由状態である場合（自由端状態）、つまり、先端部が支持されていない状態になる場合、当該サスペンション１７２が上カバー１２９から離間する方向に傾く。また、図５に示すように、サスペンション１７２が負荷状態（支持状態）、つまり、リフトタブ１７５が符号７３に示す傾斜部１１５に乗り上げて載置され下方から押し上げられるよう支持されている状態である場合は、サスペンション１７２と駆動アーム１７１が平行となる。このことから、サスペンション１７２は、自由状態と負荷状態の間で自由角度ａが存在し、この自由角度ａによって、リフトタブ１７５は、自由状態と負荷状態との間で水平方向の距離差ｂが生じうる。従って、上部構造体３と下部構造体５とが組み付けられた後、リフトタブ１７５の位置が傾斜部１１５の位置と一致しないことがあるため、リフトタブ１７５を傾斜部１５の上に配置されるような初期状態を得ることが極めて困難となる。
【００２６】
以上より、本発明では、上部構造体３と下部構造体５とを組み付けるときにリフトタブ１７５を傾斜部１１５の上に配置するため、以下に説明するよう特別な構造を有する傾斜部用ツール７を備えている。これに伴い、以下の手順により、ディスクドライブ３５は組み立てられる。
【００２７】
（１）傾斜部１１５に対応するツール用開口部を有する上カバー１２９を形成する。（２）ヘッドスタックアセンブリ１１７と他の必要な部品を上カバー１２９に装着して上部構造体３を形成する。（３）磁気ディスク１１１、傾斜部１１５、及び他の必要な部品を下カバー１１９に装着して下部構造体を形成する。（４）傾斜部用ツール７をツール用開口部３２に挿入してディスクドライブ内部に挿通させる。このとき、傾斜部用ツール７にてヘッドスタックアセンブリ１１７のリフトタブ１７５が図５に示す負荷状態となるよう当該傾斜部用ツール７の一部（保持プレート）が延びている。（５）リフトタブ１７５、傾斜部用ツール７、及び、傾斜部１１５と、を重ね合うように上部構造体３と下部構造体５とを組み付ける。（６）その後、傾斜部用ツール７の位置を移動して、具体的には、傾斜部用ツール７を回転させ保持プレートの位置を移動させ、ヘッドスタックアセンブリ１１７のリフトタブ１７５を傾斜部用ツール７上から下カバー１１９の傾斜部１１５上に移動する。
【００２８】
そして、図４に示したように、傾斜部用ツール７は、ツール本体部７１と、このツール本体部７１の側部から延びる保持プレート７３と、を備えている。また、ツール本体部７１は円柱状であり、保持プレート７３はツール本体部７１の軸線に対して垂直方向に延びるバー状（板棒状）部材である。また、傾斜部用ツール７は、ツール本体部７１に連結されるハンドル部７５をさらに備えており、このハンドル部７５は、傾斜部用ツール７を操作する際に用いる。
【００２９】
ここで、ハンドル部７５は、その直径がツール本体部７１の直径よりも大きい円柱状の部材である。そして、図２と図４に示したように、上カバー１２９の頂板３９には、傾斜部１１５に対応して傾斜部用ツール７が挿通可能なツール用開口部３２が形成されている。そして、このツール用開口部３２に傾斜部用ツール７が挿通される。このとき、ツール用開口部３２は、鈍角アーチ形の開口部３２１と、上記保持プレート７３の形状に対応したバー状開口部３２２と、により形成される。
【００３０】
そして、バー状開口部３２２の外形は、保持プレート７３の外形と等しいかそれより大きく形成されている。また、アーチ形開口部３２１の直径は、ツール本体部７１の直径と等しいかそれよりも大きいと共に、ハンドル部７５の直径より小さく形成されている。また、ツール本体部７１の長さ（高さ）は、上カバー１２９の頂板３９の厚さより長く形成され、保持プレート７３とハンドル部７５との間隔も、上カバー１２９の頂板３９の厚さより大きく形成されている。これにより、保持プレート７３がツール用開口部３２に挿通されてヘッドスタックアセンブリ１１７のリフトタブ１７５を保持することができる。
【００３１】
また、図４に示したように、以下の順次によってディスクドライブ３５を組み立てる。先ず、傾斜部用ツール７をツール用開口部３２に挿入する。このとき、アーチ形開口部３２１の直径がハンドル部７５より小さいため、当該ハンドル部７５は上カバー１２９上に、つまり、ディスクドライブの外側に残っている。これにより、アーチ形開口部３２１とツール本体部７１との形状によって、傾斜部用ツール７はハンドル部７５を回すことで、ツール本体部７１の軸線を中心に回転する。なお、上部構造体３と下部構造体５とを組み付けた後でも回転することができる。
【００３２】
続いて、図７に示したように、傾斜部用ツール７を回転させ、当該傾斜部用ツール７の保持プレート７３で、サスペンション１７２のリフトタブ１７５を支持し、当該リフトタブ１７５が負荷状態となるよう保持する（図５を参照）。このとき、リフトタブ１７５からも保持プレート７３に対して反力を生じ、これによって傾斜部用ツール７が上カバー１２９上で保持される。
【００３３】
続いて、上部構造体３と下部構造体５とが接合されると、上部磁気構成部品５２と下部磁気構成部品５１とが互いに対峙するよう配置される。そして、ヘッドスタックアセンブリ１１７がベアリング３８を軸に作動されるサーボ制御システム（例えば、ボイスコイルモーター）が構成される。このとき、ツール用開口部３２が傾斜部１１５に対応するように形成されていて、また、リフトタブ１７５が負荷状態を保持するため、保持プレート７３、リフトタブ１７５、及び、傾斜部１１５が、重なり合っている。特に、保持プレート７３は、リフトタブ１７５と傾斜部１１５との間に挟まれた状態となっている（図８を参照）。
【００３４】
すると、上部構造体３と下部構造体５とが接合されているときであっても、傾斜部用ツール７を回転させることにより、リフトタブ１７５を容易に保持プレート７３から傾斜部１１５上に移動することができ、当該傾斜部１１５上に載置させることができる（図９を参照）。
【００３５】
その後、ディスクドライブの作動時には、サスペンション１７２のリフトタブ１７５がサーボ制御システムによって、傾斜部１１５から移動され、磁気ディスク上にて、磁気ヘッド１７４と磁気ディスク１１１の間でエアベアリングを形成する。つまり、磁気ヘッド１７４は、磁気ディスク１１１上で浮上しつつ、磁気ディスク１１１に情報を記録したり、記録された情報を再生したりする（図１０を参照）。そして、磁気ディスクの作動が終わると、リフトタブ１７５が傾斜部１１５上に移動され、これにより、磁気ヘッド１７４が磁気ディスク１１１上から退避される。
【００３６】
そして、リフトタブ１７５と傾斜部１１５とが接触された後には、傾斜部用ツール７が所定の位置に回転され、当該傾斜部用ツール７は、上カバー１２９のツール用開口部３２から抜き取られる。さらに、ディスクドライブ３５の外観をよくするため、及び、異物が上部構造体３と下部構造体５との間の中空部に入ることを防止するため、粘着テープや栓などでツール用開口部３２を密封する。
【００３７】
また、本発明において、例えば金属やプラスチック等の１つの材料で傾斜部用ツール７を製造してもよく、２つ以上の材料を混合して傾斜部用ツールを製造してもいい。例えばステンレス等の高い剛性の材料で製造することで、リフトタブ１７５を負荷状態で保持することの信頼性の向上を図ることができる。
【００３８】
また、本発明では、傾斜部用ツール７を一体化して形成してもよく、または、異なる部品を組み立てて形成してもよい。また、保持プレート７３の厚さは極めて薄いため、リフトタブ１７５、保持プレート７３、及び、傾斜部１１５が重なり合っている場合には、リフトタブ１７５と傾斜部１１５との間の間隔が短くなる。これによって、リフトタブ１７５を傾斜部１１５上に、円滑に、かつ、精度よく移動することができる。
【００３９】
なお、本発明では、上述したハンドル部７５は円柱形状構造であることに限定されず、その外形がアーチ型開口部３２１よりも大きい構造体であればよい。同様に、保持プレート７３とツール本体部７１も、上述した構造であることに限定されず、上記同様の機能を発揮できる構造であればよい。
【００４０】
また、ディスクドライブの２つの構造体３，５が組み付けられる前に、傾斜部用ツール７がサスペンションのリフトタブ１７５を負荷状態に保持するよう用いられるため、自由状態と負荷状態のサスペンションの間における自由角度の影響を抑制することができる。また、傾斜部用ツール７が回転されるため、傾斜部１１５に対応するようリフトタブ１７５の位置を調整することができる。また、傾斜部用ツール７が回転されることで、リフトタブ１７５、傾斜部用ツール７、及び、傾斜部１１５が重なり合った状態であるときに、傾斜部用ツール７を容易に傾斜部１１５とリフトタブ１７５との間から抜き外すことができ、リフトタブ１７５を傾斜部１１５上へ移載することができる。
【００４１】
さらに、ヘッドスタックアセンブリ１１７を上カバー１２９に配置したため、ディスクドライブの状態でヘッドスタックアセンブリ（特に、磁気ヘッド）の再組み立て（リワーク）を行うことができる。つまり、ディスクドライブからヘッドスタックアセンブリを取り外す必要が無くなり、単にディスクドライブの２つの構造体を分離した状態で行うことができる。
【００４２】
また、本発明の傾斜部用ツール７は、サスペンションのリフトタブ１７５を傾斜部１１５上へ移動した後、簡単にディスクドライブの上カバー１２９から取り外すことができるため、組み立て後のディスクドライブの通常の動作に影響を及ぼすことがない。
【産業上の利用可能性】
【００４３】
本発明は、ヘッドスタックアセンブリの組み立てを簡単に行うべく、ディスクドライブを装着する際に利用することができるため、産業上の利用可能性を有する。
【図面の簡単な説明】
【００４４】
【図１】従来例におけるディスクドライブの構成を示す斜視図である。
【図２】本発明のディスクドライブの構成を示す斜視図である。
【図３】図２に示したヘッドスタックアセンブリの斜視図である。
【図４】図２に示したディスクドライブの上カバー、本発明の傾斜部用ツール、及び、それらの配置関係を示す斜視図である。
【図５】図３に示したヘッドスタックアセンブリのサスペンションが傾斜部ツールによって負荷状態に保持されているときの様子を示す図である。
【図６】図３に示したヘッドスタックアセンブリのサスペンションが自由状態であるときの様子を示す図である。
【図７】図３に示したヘッドスタックアセンブリのサスペンションが傾斜部用ツールによって負荷状態に保持されているときの様子を示す斜視図である。
【図８】サスペンションのリフトタブが傾斜部用ツール上から傾斜部上へ移動される際の様子を示す拡大斜視図である。
【図９】サスペンションのリフトタブが傾斜部上に移動したときの様子を示す斜視図である。
【図１０】図２に示したディスクドライブの作動時における内部構造の様子を示す斜視図である。
【符号の説明】
【００４５】
３  上部構造体
５  下部構造体
７  傾斜部用ツール
３２  ツール用開口部
３５  ディスクドライブ
３８  ベアリング
３９  頂板
５１  下部磁気構成部品
５２  上部磁気構成部品
７１  ツール本体部
７３  保持プレート
７５  ハンドル部
１１１  磁気ディスク
１１５  傾斜部
１１７  ヘッドスタックアセンブリ
１１９  下カバー
１２９  上カバー
１３１  スピンドルモーター
１７２  サスペンション
１７５  リフトタブ
３２１  アーチ形開口部
３２２  バー状開口部
【図１】
2006155874.tif 000003
【図２】
2006155874.tif 000004
【図３】
2006155874.tif 000005
【図４】
2006155874.tif 000006
【図５】
2006155874.tif 000007
【図６】
2006155874.tif 000008
【図７】
2006155874.tif 000009
【図８】
2006155874.tif 000010
【図９】
2006155874.tif 000011
【図１０】
2006155874.tif 000012